(57)【要約】 【課題】  砂上歩行と同様な歩行効果があり、歩行時の消費カロリー量が多く、短期間で運動不足が解消されダイエット効果が高いシューズに関する。【解決手段】  本発明は、靴底最上層部を形成する中底及びミッドソールの踵中央部分の接地圧部と母趾球部近傍の踏み付け部とを切り欠き、該切り欠き部分に弾性を有し側面が拘束された状態で縦方向の変位機能を有する容積吸収体を埋設することにより歩行時に起伏うねり効果を発生させ運動強度がアップする。  更に前記最上層部の上面に、踵部分と母趾球部近傍の踏み付け部分とに多数の貫通した空隙を有する発泡体から成る衝撃吸収材の中敷きを挿入して履用することにより起伏うねり効果が助長される。  本発明に係る靴を使用することで歩行時の運動カロリー量の増加が図られ、ダイエット効果が大きくなる。【選択図】      図１
2006020656.tif 000002
【特許請求の範囲】
【請求項１】
靴底最上層部を形成する中底及びミッドソール又はミッドソールにおける踵中央部分の接地圧部と母趾球部近傍の踏み付け部とに形成された切り欠き部と、前記切り欠き部に埋設された弾性を有し縦方向の変位機能を有する容積吸収体と、を有することを特徴とするシェイプアップシューズ。
【請求項２】
前記容積吸収体が多数の貫通した空隙を有する弾性体であることを特徴とする請求項１に記載のシェイプアップシューズ。
【請求項３】
前記靴底最上層部の上面に、踵部分と母趾球部近傍の踏み付け部分とに多数の貫通した空隙を有する発泡体から成る衝撃吸収性を有する中敷きを有することを特徴とする請求項１又は２に記載のシェイプアップシューズ。
【請求項４】
中底が踵部分から土踏まず部分までの長さに形成された半中底であることを特徴とする請求項１乃至３の内いずれか１に記載のシェイプアップシューズ。
【請求項５】
アウトソールが透明又は半透明な弾性組成体で形成され、前記容積吸収体が前記アウトソールを通して視認可能であることを特徴とする請求項１乃至４の内いずれか１に記載のシェイプアップシューズ。
【発明の詳細な説明】
【技術分野】
【０００１】
本発明は、シェイプアップシューズであって、砂上歩行と同様な歩行効果があり、歩行時の消費カロリー量が多く、短期間で運動不足が解消されダイエット効果が高いシェイプアップシューズに関する。
【背景技術】
【０００２】
何かと多忙な現代において日頃の運動不足を解消する手段としてウォーキングが採用されている。ウォーキングは各自の体力に応じて、又何時でも行えるために高齢者から子供までレクレーションを兼ねて実施されている。
【０００３】
同じ時間を費やすならば運動効果の上がる方法をと言うことで、靴に荷重を掛けて歩く方法や、つま先上がりの靴を用いたり、又砂浜を歩くノルデックウォーキング等が行なわれている。
砂浜歩きは、接地時に砂の層を押しつけ砂の層に踵部が貫入し、次に蹴り出し時にも砂の層を押しつけ砂の層に踏み付け部が貫入することで運動強度が上がり、普通のウォーキングに比べて約１．２〜１．５倍程度の運動量が得られると言われている。それだけに消費エネルギーが多く、ダイエット効果が大きい。
この足の動き、即ち踵部を深く踏み、蹴り出しも踏み付け部を深く踏み込んで歩行することを起伏うねり効果と定義する。
【０００４】
起伏うねり効果を取り入れた従来技術として、第一の方法は、ソール部が少なくともミッドソールとアンダーソールとアウトソールからなり、前記ミッドソールは硬く弾力があり、中間のアンダーソールは弾力的に柔軟であるにも関わらず、負荷状態では作用力によって新たな形状と成り、負荷の作用方向に応じて変形し、起伏うねり効果を生じ、運動効果が高く、砂地の裸足歩行の感覚を覚えるというシェイプアップシューズが提供されている（例えば、特許文献１参照）。
【０００５】
第二の方法は、起伏うねり効果を靴底の形状に求めた提案である。踵部接地面が靴底上面のつま先先端と踵部後端とを結ぶ線に対して下方に傾斜し、つま先部を母趾球部に対応する踏み付け部を基点として上方に傾斜することで、踵部が深く沈み、つま先が上がり上下の変位の大きい運動効果の高いシェイプアップシューズが提案されている（例えば、特許文献２参照）。
また、衝撃吸収性と反発性の両方を兼ね備えたスポーツシューズが開発されている。例えば、「ソールを有し、ソールの厚み内に凹所を形成し、該凹所内に取り外し可能に収納した選択可能な硬度特性を有する弾性体を備えたシューズ。」（特許文献３）や、「ミッドソールに切欠部を形成し、該切欠部にエチレン・オクテン共重合体とエチレン一酢酸ビニル共重合体の混合物の発泡体からなるクッション材を介装したスポーツシューズ。」（特許文献４）が知られている。
【特許文献１】特表２００３−５０８０９８号公報
【特許文献２】特開２００２−６５３１０号公報
【特許文献３】特開平１−９１８０１号公報
【特許文献４】特開２００１−１２８７０７号公報
【発明の開示】
【発明が解決しようとする課題】
【０００６】
特許文献１や特許文献２に係るシェイプアップシューズはともに起伏うねり効果があり、運動の活動量のアップが図られるが、特許文献１に係る靴は靴底部構造において中間の底形成部全面に設けたアンダーソールが弾力的に柔軟であるにも関わらず、負荷状態では作用力によって新たな形状と成り、負荷の作用方向に応じて変形するので、いわゆる横ブレが生じ易く捻挫し易いという課題を有していた。
特許文献３や特許文献４のスポーツシューズは、テニスやバスケット等のスポーツのストップアンドダッシュ時の激しい動作時の衝撃性と反発性を改良し、足の負担の軽減化を目的としたもので、ウォーキング時等の酸素消費量等の消費エネルギー量が小さくダイエット効果が少ないという課題を有していた。特許文献３と特許文献４の靴は運動量の大きく動きの激しいテニスやバスケット等のスポーツに適した、スポーツ専用シューズであり、ウォーキングを目的としたものではないため、靴を履いて歩いても、体脂肪を燃焼させる効果が少なく、消費カロリーが少なくダイエット効果に欠けるという課題を有していた。
又、特許文献１や特許文献２のシェイプアップシューズはともに、製造するに当っては新たな生産設備、例えば靴金型が必要となり、安価な価格での靴の提供に難がある。又靴底部のデザインも制約を受けるという課題を有している。
【０００７】
本発明は、従来技術の課題を解決するため鋭意研究を行い、歩行に安定感があり従来のウォーキングに比べて起伏うねり効果により運動の活動量がアップし、体脂肪をできるだけ燃焼させ（すなわち、酸素消費量等の消費エネルギー量を大きくし）、ダイエット効果によりシェイプアップが図られ、運動量が小さく動きの穏やかなしかも比較的長時間歩いていても横ブレも無く歩行が安定し、しかも靴の製造面において従来の生産設備を使用出来、自由なデザインが行なえ、低原価で量産性に優れたシェイプアップシューズを提供することを目的とする。
【課題を解決するための手段】
【０００８】
請求項１の発明は、靴底最上層部を形成する中底及びミッドソール又はミッドソールにおける踵中央部分の接地圧部と母趾球部近傍の踏み付け部とに形成された切り欠き部と、前記切り欠き部に埋設された弾性を有し縦方向の変位機能を有する容積吸収体と、を有することを特徴とするシェイプアップシューズである。
【０００９】
請求項２の発明は、前記容積吸収体が多数の貫通した空隙を有する弾性体であることを特徴とする請求項１に記載のシェイプアップシューズである。
【００１０】
請求項３の発明は、前記靴底最上層部の上面に、踵部分と母趾球部近傍の踏み付け部分とに多数の貫通した空隙を有する発泡体から成る衝撃吸収性を有する中敷を有することを特徴とする請求項１又は２に記載のシェイプアップシューズである。
【００１１】
請求項４の発明は、中底が踵部分から土踏まず部分までの長さに形成された半中底であることを特徴とする請求項１乃至３の内いずれか１に記載のシェイプアップシューズである。
【００１２】
請求項５の発明は、アウトソールが透明又は半透明な弾性組成体で形成され、前記容積吸収体が前記アウトソールを通して視認可能であることを特徴とする請求項１乃至４の内いずれか１に記載のシェイプアップシューズである。
【００１３】
一般的なウォーキング専用シューズの基本的な靴底部は通常、中底／ミッドソール／アウトソールの三層構造で構成されている。
本発明は、この靴底部の基本構造はそのままとし、中底及びミッドソール又はミッドソールにおける踵部分の接地圧部及び母趾球部近傍の踏みつけ部とを切り欠き、該切り欠き部分に弾性があり縦方向の変位機能を有する容積吸収体を埋設することにより、歩行時に起伏うねり効果を発生させ運動量のアップを図り、短時間でダイエット効果を図るものである。
【００１４】
中底は弾力がある比較的硬いもの、例えばレザーボード、パルプボード等が使われる。これにより、歩行を安定させるという作用が得られる。
また、母趾球近傍の踏み付け部分に屈曲し易いように中底に幅方向の溝やスリット等を設けた場合は、蹴り出し時に踏み付け部を深く踏み込んで歩行でき、起伏うねり効果を大きくできる。本発明に係る中底の厚みは通常０．５〜１．０ｍｍである。
【００１５】
又、中底として踵部分から土踏まず部分までの半中底を使用してもよい。半中底を使用すれば、母趾球近傍の踏み付け部分には硬い中底は存在しないので屈曲性が良くなり、蹴り出しも踏み付け部を深く踏み込むことができる。
【００１６】
ミッドソールは靴の軽量化及びクッション性を良くするために発泡体が使用される。発泡体としては例えばエチレン一酢酸ビニル共重合体樹脂、ポリウレタン樹脂、塩化ビニル樹脂等の発泡体により形成され、硬度５０〜８０（ＪＩＳ  Ｋ６２５３  タイプＥ）の範囲にあり、より好ましくは硬度５５〜７５（ＪＩＳ  Ｋ６２５３  タイプＥ）の範囲である。ミッドソールの厚みは４〜１２ｍｍ、好ましくは５〜１０ｍｍである。これにより適度のクッション性を有し軽量なので、長時間歩いても疲労感が少なく起伏うねり効果をスムーズに発揮できる。
【００１７】
本発明に係る弾性を有する容積吸収体には多数の貫通した空隙を有するゴム又は熱可塑性エラストマー、中空粒子体を含有するゴム又は熱可塑性エラストマー、スポンジ、及び空気バネ等が用いられる。容積吸収体としては硬度が、３０〜６０、好ましくは、３５〜５５（ＪＩＳ  Ｋ６２５３  タイプＥ）が用いられる。
【００１８】
容積吸収体を成す多数の貫通した空隙を有する弾性体としては、連続気泡の弾性発泡体、独立気泡の弾性発泡体に貫通孔又は貫通溝（長孔）をあけたもの、粘弾性があり柔軟なゴム又は熱可塑性エラストマーに貫通孔又は貫通溝をあけたもの等が好ましく使用される。
ミッドソールに設けた小さい空間内で起伏うねり効果を出す為には、かなり大きな容積変化が必要であることが判った。例えば、空気が密閉されたエアーバック等は、空気の逃げ場が小さく変位量が小さいが、本発明の貫通孔や貫通溝の空隙を設けることにより、弾性発泡体は、空隙を設けない弾性発泡体に比べて、はるかに変位量は大きくなることがわかった。
起伏うねり効果を上げるには貫通孔又は長孔状の貫通溝を設けるのが好ましい。
【００１９】
容積吸収体として独立発泡体を使用する場合は内蔵される気体球の容積の収縮を考慮し、貫通する空隙（孔や溝）の容量（空隙部の容積の総和であり、等厚みのシート状の発泡体の場合は、空隙率は、面積すなわち開孔率と捉えても良い。）は容積吸収体の容量の２〜１０％が好ましい。具体的には貫通孔であれば大きさが１〜３ｍｍで、１ｃｍ２当り０．１〜３個で、貫通溝の場合は幅１〜３ｍｍで、５ｃｍ２当り０．２〜２本で形成することにより容積吸収体の容量の２〜１０％にすることができる。これにより高い変位率を得ることができるとともに歩行に合わせて効率良く起伏うねり効果を出すことができる。
【００２０】
充実ゴムを容積吸収体として用いる場合、発泡体と異なり内蔵される気体球の容積の収縮が望めないので貫通する空隙の容量は運動効果と歩行感とを考慮し、容積吸収体の３０〜４０％とする。
容積吸収体の厚みは中底の厚みとミッドソールの厚みとを合わせた厚み、もしくはミッドソールのみの厚みに形成され、４．５〜１３ｍｍであり、好ましくは５〜１１ｍｍである。
空隙が独立発泡体の場合は１０％、充実ゴムの場合は４０％よりも多くなるにつれ、圧縮抵抗が少なくなり底当り感が強くなって歩行感が悪くなる傾向があり、又、空隙が独立発泡体の場合は２％、充実ゴムの場合は３０％よりも少なくなるにつれ、変位量が減り起伏うねり効果が減少し、ダイエット効果が得られ難い傾向があるので、いずれも好ましくない。
また、厚みは５ｍｍよりも小さくなるにつれ、変位量が減り、更に起伏うねり効果が減少するという傾向があり、また、１１ｍｍよりも大きくなるにつれ、圧縮抵抗が少なくなり、更に靴全体のボリュームが増すことにより、外観上見栄えが悪くなり、重量も増加するので好ましくないという傾向があり、４．５ｍｍ未満もしくは１３ｍｍを越えるにつれ、これらの傾向が著しいので好ましくない。
【００２１】
容積吸収体の素材としては、バネの働きが強すぎると起伏うねり効果が弱まるので、ゆっくりバネが回復する粘性の高いものが好ましい。
粘性の目安となる損失正接（ｔａｎδ）のピーク温度が１９℃付近と常温にあり、ｔａｎδが１．９と大きい素材である３，４結合イソプレンを含む粘弾性組成体の発泡体が好ましい。又ブチル系の充実ゴムに貫通孔を設けても好ましい性質が得られる。ブチル系のｔａｎδのピーク温度は０℃付近にありｔａｎδの値が１．５〜１．６と大きいので、高い起伏うねり効果を得ることができる。
【００２２】
靴内部に挿入して使用する靴中敷きの素材としては、容積吸収体と同一の素材を用いることが好ましい。これより靴底部全体としての縦方向の変位量を増加させ、起伏うねり効果を更に上げる働きをする。尚、靴中敷と容積吸収体の材質は低粘性と高粘性の素材を組み合わせて用いることもできる。
踵部分と母趾球部近傍の踏み付け部分とに多数の貫通孔を有する発泡体から成る衝撃吸収性を有する中敷きを履用することで起伏うねり効果を更に上げることができる。
衝撃吸収性は素材の粘性が高い程高くなる。
靴中敷きの容積吸収体設置部相当部に明ける貫通孔は、大きさが１〜２ｍｍで、1ｃｍ２当り０．５〜２個程度である。貫通孔が1ｃｍ２当り２個よりも多いか、径が２ｍｍよりも大きくなりすぎると衝撃吸収能力が低下する傾向が見られ、また、貫通孔が1ｃｍ２当り０．５個より少ないか、径が１ｍｍよりも小さくなると衝撃吸収性が低下する傾向があるので好ましくない。
【００２３】
起伏うねり効果の靴商品を販売するにおいて、消費者への説明のし易さ及び説得力を上げる為に靴のアウトソールを通して容積吸収体を視認出来るようにしておくことが望ましい。そのためにはアウトソールを透明な弾性組成体にしておく必要がある。
【００２４】
アウトソールの素材となるゴムは、靴底用としてのゴムであり、合成ゴムであるスチレン・ブタジエンゴム（ＳＢＲ）、ブタジエンゴム（ＢＲ）、イソプレンゴム（ＩＲ）及び特殊合成ゴムとして、例えば、アクリロニトリル・ブタジエンゴム（ＮＢＲ）、ブタジエン・アクリロニトリル・アクリレート系三元共重合体、ブタジエン・アクリロニトリル・イソプレン系三元共重合体等が挙げられるがこれらに限定されるものではない。又、これらのゴムが単体で用いられてもよく、ブレンドして用いられてもよい。
これらのゴムに透明性を考慮した加硫剤や配合剤を混合した透明配合の混練物とし、この混練物を金型に入れ、加熱・加圧により加硫して所定の形状と成す。
又、透明性のある熱可塑性エラストマーを射出成形で成型してもよい。靴用の透明性のある熱可塑性エラストマーとしては接着性を考慮しスチレン系がよい。
【発明の効果】
【００２５】
本発明は、靴底最上層部を形成する中底及びミッドソールの踵中央部分の接地圧部と母趾球部近傍の踏み付け部とを切り欠き、該切り欠き部分に弾性を有し側面が拘束された状態で縦方向の変位機能を有する容積吸収体を埋設することにより歩行時起伏うねり効果を生じ、運動強度がアップする。
更に前記最上層部の上面に、踵部分と母趾球部近傍の踏み付け部分とに多数の貫通した空隙を有する発泡体から成る衝撃吸収材の中敷きを挿入して履用することにより起伏うねり効果が助長される。
本発明に係るシェイプアップシューズを使用することで歩行時の運動カロリー量の増加が図られ、ダイエット効果が大きくなる。
【発明を実施するための最良の形態】
【００２６】
図面を参照しながら詳細に説明する。
図１は、本実施の形態に係る一部切り欠き断面を表す全体図であり、図２は、本実施の形態に係る靴の底部を底面から見た図面であり、図３は、本実施の形態に係る多数の貫通孔を有する発泡体から成る衝撃吸収性を有する中敷きの斜視図である。
【００２７】
靴底最上層部を形成する中底（１）及びミッドソール（２）において、中底（１）は厚み０．８ｍｍのパルプボードを使用し、踵部分から土踏まず部分までの半中底とした。半中底を使用すれば、母趾球近傍の踏み付け部分には硬い中底が存在しないので屈曲性が良くなり、蹴り出し時に踏み付け部を深く踏み込み、起伏うねり効果を高めることができる。ミッドソール（２）において上面に中底（１）が無い部分は布帛で覆った。
【００２８】
ミッドソール（２）はエチレン一酢酸ビニル共重合体樹脂の発泡体により形成し、硬度５５（ＪＩＳ  Ｋ６２５３  タイプＥ）で厚みは１０ｍｍとした。
踵中央部分の接地圧部（３）の半中底（１）とミッドソール（２）とを幅２５ｍｍ、長さ４０ｍｍの競技トラック状に切り欠き、切り欠き部５を形成した。
又、母趾球部近傍の踏み付け部（４）のミッドソール（２）を台形状に切り欠き、切り欠き部５′を形成した。切り欠き寸法は上辺５５ｍｍ、下辺７０ｍｍ、上辺と下辺との距離６０ｍｍの台形とした。
【００２９】
該切り欠き部５、５′である踵中央部分の接地圧部（３）と母趾球部近傍の踏み付け部（４）とに弾性を有する容積吸収体（５ａ、５ｂ）を埋設した。
該容積吸収体（５ａ、５ｂ）は、バネの働きが強すぎると起伏うねり効果が弱まるので、ゆっくりバネが回復する粘性の高いものを用いた。
粘性の目安となる損失正接（ｔａｎδ）のピーク温度が１９℃付近と常温にあり、ｔａｎδが１．９と大きい素材である３，４結合イソプレンを含む粘弾性組成体の発泡体に貫通孔又は貫通溝を設けたものを採用した。
該発泡体の比重は０．２５であった。該発泡体の厚みは埋設する切り欠き部の
深さとほぼ同じの１１ｍｍとし、埋設する切り欠き部の形状に裁断した。
【００３０】
踵中央部分の接地圧部（３）に埋設する容積吸収体（５ａ）には直径３ｍｍの貫通孔（７）を５個あけ、母趾球部近傍の踏み付け部（４）に埋設する容積吸収体（５ｂ）には該靴底の幅方向に、幅２ｍｍ、長さ４５ｍｍ、深さ１１ｍｍの貫通溝（８）を３本形成した。
【００３１】
靴底部の最上層部の上面に挿入して履用する衝撃吸収性を有する中敷き（６）は、踵中央部分の接地圧部（３）に相当する部分と母趾球部近傍の踏み付け部（４）に相当する部分とに１ｃｍ２当り１個となるように貫通孔（９）を形成した発泡体から成る衝撃吸収材とした。素材は前記容積吸収体（５ａ、５ｂ）と同一の３，４結合イソプレンを含む粘弾性組成体の発泡体とした。貫通孔（９）は踵部分には直径１．５ｍｍの孔を９個、母趾球部近傍の踏み付け部分には、直径１．５ｍｍの孔を１６個あけた。中敷き（６）の厚みは５ｍｍとした。
【００３２】
アウトソール（１０）は溶液重合のスチレン・ブタジエンゴム（ＳＢＲ）を主な構成ポリマーとし公知の透明性を考慮した加硫剤や配合剤を混合した透明配合の混練物とし、この混練物を金型に入れ、加熱・加圧により加硫して所定の形状に成形した。
靴の成形は通常の接着方式にて成形した。アウトソール（１０）を通して容積吸収体（５）が視認出来、他の商品と容易に差別化ができることがわかった。
尚、本実施の形態では、ミッドソールにのみ形成したものについて説明したが、中底及びミッドソールに同様の切り欠き部を形成して容積吸収体を埋設してもよい。
【００３３】
次に、本実施の形態に基づく実施例と従来の靴の評価結果について説明する。
通常のウォーキング専用シューズ（以下従来品という）と実施例のシェイプアップシューズ（以下開発品という）の比較を筋放電量と酸素摂取量について行なった。
（１）蹴りだし時の筋放電量測定比較
筋放電量は、日本光電製マルチテレメータシステムＷＥＢ５０００を用いて測定した。
測定方法は電極を下肢の腓腹筋の位置に相当する皮膚の表面に貼りつけ、従来品及び開発品を各々履き、トレッドミルにて時速６ｋｍで歩行し、歩行開始１分後から約１０秒間の筋放電量を測定した。測定は従来品または開発品をランダムに、各３試行行ない、その結果を図４、図５に示した。
図４は従来品の腓腹筋放電量の測定結果を示した図であり、図５は開発品の腓腹筋放電量の測定結果を示した図である。
また、１試行あたり４歩分の筋放電量データを抽出し、同じように３試行分を抽出し、合計１２試行分のデータをコンピュータにて解析し、その結果を図６に示した。図６は従来品と開発品の腓腹筋放電量の測定結果を示した図である。
図６より従来品に比べて開発品の方が有意に筋放電量が大きく、筋肉の活動量が大きくなる傾向が観られた。
（２）酸素摂取量の比較
トレッドミルにて時速６．５ｋｍで歩行した場合の酸素摂取量を測定した。
酸素摂取量は、ダグラス・バッグ法によって測定した。採取した呼気は呼気ガス分析機（Ｖｍａｘ２９Ｃ、センサーメディクス社製）を用いて、酸素濃度（パラマグネティック法）および二酸化炭素濃度（非分散赤外線吸収法）を分析した。ガス量は乾式ガスメーター（品川製作所製）で定量され、同時にガス温度も測定した。テストは時速６．５ｋｍでの歩行時の酸素摂取量の変化を８名の被験者にて行ない、その結果を図７に示した。
図７は従来品と開発品の酸素摂取量の測定結果を示した図である。
図７から明らかなように、開発品を着用した場合は、従来品に比べて１８〜２５％の酸素摂取量の上昇が観られた。
【産業上の利用可能性】
【００３４】
本発明はシェイプアップシューズに関し、靴底最上層部を形成する中底及びミッドソールの踵中央部分の接地圧部と母趾球部近傍の踏み付け部とを切り欠き、該切り欠き部分に弾性を有し側面が拘束された状態で縦方向の変位機能を有する容積吸収体を埋設することにより歩行時起伏うねり効果を生じ、運動強度をアップさせることができ、更に前記最上層部の上面に、踵部分と母趾球部近傍の踏み付け部分とに多数の貫通した空隙を有する発泡体から成る衝撃吸収材の中敷きを挿入して履用することにより起伏うねり効果が助長され、本発明に係るシェイプアップシューズを使用することで歩行時の運動カロリー量の増加が図られ、ダイエット効果を大きくするシェイプアップシューズを提供することができる。
【図面の簡単な説明】
【００３５】
【図１】本実施の形態に係る一部切り欠き断面を表す全体図
【図２】本実施の形態に係る靴の底部を底面から見た図
【図３】本実施の形態に係る多数の貫通孔を有する発泡体から成る衝撃吸収性を有する中敷きの斜視図
【図４】従来品の腓腹筋放電量の測定結果を示した図
【図５】開発品の腓腹筋放電量の測定結果を示した図
【図６】従来品と開発品の腓腹筋放電量の測定結果を示した図
【図７】従来品と開発品の酸素摂取量の測定結果を示した図
【符号の説明】
【００３６】
１  中底
２  ミッドソール
３  踵中央部分の接地圧部
４  母趾球部近傍の踏み付け部
５，５′  切り欠き部
５ａ  容積吸収体
５ｂ  容積吸収体
６  中敷き
７  貫通孔
８  貫通溝
９  貫通孔
１０  アウトソール
【図１】
2006020656.tif 000003
【図２】
2006020656.tif 000004
【図３】
2006020656.tif 000005
【図４】
2006020656.tif 000006
【図５】
2006020656.tif 000007
【図６】
2006020656.tif 000008
【図７】
2006020656.tif 000009